(57)【要約】【課題】パウダー状皮膚外用剤の実使用量が多く、少量でも無駄なく使用でき、しかも顔や体等の肌にパウダー状皮膚外用剤を塗布しやすく、手が汚れにくく、使用に際して充分なパフ感覚が得られる等の使用感覚が優れたパウダー状皮膚外用剤入りパフを提供すること。【解決手段】袋物内にパウダー状皮膚外用剤及びクッション材が収納されている略座布団状のパウダー状皮膚外用剤入りパフであって、前記袋物は対向する第一及び第二の２つのシート面を有し、該２つのシート面の少なくとも一方の第一の面は粉体透過性シートで形成され、前記パウダー状皮膚外用剤は前記第一の粉体透過性シート面に接するように収納され、前記クッション材は前記パウダー状皮膚外用剤の前記第二のシート面側に位置し、前記パウダー状皮膚外用剤の前記第二のシート面側の面の全てを覆うように、前記パウダー状皮膚外用剤と分けられて収納されているパウダー状皮膚外用剤入りパフ。【選択図】図２
2006263432.tif 000002
【特許請求の範囲】
【請求項１】
袋物内にパウダー状皮膚外用剤及びクッション材が収納されている略座布団状のパウダー状皮膚外用剤入りパフであって、前記袋物は対向する第一及び第二の２つのシート面を有し、該２つのシート面の少なくとも一方の第一の面は粉体透過性シートで形成され、前記パウダー状皮膚外用剤は前記第一の粉体透過性シート面に接するように収納され、前記クッション材は前記パウダー状皮膚外用剤の前記第二のシート面側に位置し、前記パウダー状皮膚外用剤の前記第二のシート面側の面の全てを覆うように、前記パウダー状皮膚外用剤と分けられて収納されていることを特徴とするパウダー状皮膚外用剤入りパフ。
【請求項２】
第二のシート面を形成するシートが、粉体不透過性シート又は機能性シートである請求項１記載のパウダー状皮膚外用剤入りパフ。
【請求項３】
請求項１又は２記載のパウダー状皮膚外用剤入りパフにおいて、パウダー状皮膚外用剤とクッション材の間に、さらに仕切シートを設けたことを特徴とするパウダー状皮膚外用剤入りパフ。
【請求項４】
仕切シートが、粉体不透過性シートである請求項３記載のパウダー状皮膚外用剤入りパフ。
【請求項５】
請求項１乃至４のいずれか一項に記載のパウダー状皮膚外用剤入りパフにおいて、第二のシート面を形成するシートとクッション材の間に、さらに第三のシートを設けたことを特徴とするパウダー状皮膚外用剤入りパフ。
【請求項６】
第三のシートが、粉体不透過性シートである請求項５記載のパウダー状皮膚外用剤入りパフ。
【発明の詳細な説明】
【技術分野】
【０００１】
本発明は、パウダー状皮膚外用剤及びクッション材が袋物内に収納されているパフに関する。
【背景技術】
【０００２】
従来より、脱脂綿等の化粧パフが用いられている。化粧パフは、おしろい粉等の粉体化粧料をその表面につけ、顔や身体等を軽くたたき粉体化粧料を顔や身体等につけるために使用されている。近年、化粧パフを袋物内に粉体化粧料と共に入れ、化粧パフと粉体化粧料の機能を一緒にした粉体化粧料入りパフの技術が開示されている。例えば、化粧パフの脱脂綿を袋物内に収納し、その脱脂綿中に粉体化粧料を混在させ、さらに袋物を構成している不織布に開孔を設け、この開孔から粉体化粧料が外部に出るようにした技術がある（特許文献１参照。）。また、多孔性の網状構造を有する樹脂の方形のシートと、薬包紙に微細粉末を詰めて密封し、外力により切れ易くした部分をその上面に予め設けた方形の薬包と、裏面に接着剤が塗布された方形の紙片とを含み、上記３者を上から上記の順序に積み重ね、その上下に不織布を夫々当て、その開口辺を封止して構成した、微粉末を内包した使い捨てパフの技術がある（特許文献２参照。）。このパフの使い方は、パフを揉み、揉むことにより薬包紙の予定の部分（例えば、焦げ目のところ）が裂けて粉が出る。その粉はウレタン樹脂のパフ部分を通り抜けるので、粉が出る面を肌に当てて粉を塗布するというものである。
【０００３】
以上の従来の粉体化粧料入りパフは、化粧パフとおしろい粉等の粉体化粧料とが一緒になったので、化粧パフに粉体化粧料をつけるという煩雑さがなくなり、粉体化粧料を手軽に携帯できるという便利なものであるが、脱脂綿や多孔性のシート等に粉体化粧料が付着され、粉体化粧料の実使用量は少なく不経済である等の欠点を有し、さらに、粉体化粧料が顔や体等の肌に塗布されにくく、また使用に際して手が汚れる等の欠点も有していた。
【０００４】
【特許文献１】特開２００３−３８２４２号公報
【特許文献２】特開２００４−２０８７７５号公報
【発明の開示】
【発明が解決しようとする課題】
【０００５】
本発明は上記事情に鑑みてなされたもので、その目的は、上記従来の粉体化粧料等のパウダー状皮膚外用剤入りパフの欠点を改良し、パウダー状皮膚外用剤の実使用量が多く、少量でも無駄なく使用でき、しかも顔や体等の肌にパウダー状皮膚外用剤を塗布しやすく、手が汚れにくく、使用に際して充分なパフ感覚が得られる等の使用感覚が優れたパウダー状皮膚外用剤入りパフを提供することにある。
【課題を解決するための手段】
【０００６】
本発明者らは上記課題を解決するために鋭意研究を行った結果、相対する２つの面の少なくとも片方の面を粉体透過性シートで形成された袋物内に、パウダー状皮膚外用剤とクッション材を、パウダー状皮膚外用剤がクッション材に対して前記粉体透過性シート面側に位置するように分けて収納したパウダー状皮膚外用剤入りパフを用いることにより上記課題が解決されることを見出し、本発明を完成するに至った。
【０００７】
すなわち、本発明は、袋物内にパウダー状皮膚外用剤及びクッション材が収納されている略座布団状のパウダー状皮膚外用剤入りパフであって、前記袋物は対向する第一及び第二の２つのシート面を有し、該２つのシート面の少なくとも一方の第一の面は粉体透過性シートで形成され、前記パウダー状皮膚外用剤は前記第一の粉体透過性シート面に接するように収納され、前記クッション材は前記パウダー状皮膚外用剤の前記第二のシート面側に位置し、前記パウダー状皮膚外用剤の前記第二のシート面側の面の全てを覆うように、前記パウダー状皮膚外用剤と分けられて収納されていることを特徴とするパウダー状皮膚外用剤入りパフである。
【０００８】
前記第二のシート面を形成するシートは、粉体不透過性シート又は機能性シートであることが好ましい。
【０００９】
さらに、前記パウダー状皮膚外用剤入りパフにおいて、パウダー状皮膚外用剤とクッション材の間に、さらに仕切シートを設けることができる。前記仕切シートは、粉体透過性のシートであっても構わないが、粉体不透過性シートが好ましい。本発明に係るパウダー状皮膚外用剤入りパフにおいては、前記仕切シートを設けることにより、パウダー状皮膚外用剤のクッション材方向への透過をより軽減することができる。
【００１０】
さらに、前記パウダー状皮膚外用剤入りパフにおいて、第二のシート面を形成するシートとクッション材の間に、さらに第三のシートを設けることができる。該シートとしては、粉体不透過性、粉体透過性いずれのシートであっても構わないが、粉体不透過性シートが好ましい。
【００１１】
これにより、パウダー状皮膚外用剤が第二のシート面側へ透過することをさらに軽減することができる。また、前記第二のシート面を形成するシートと第三のシートの周辺一部に非固着部を設けることにより、パウダー状皮膚外用剤入りパフを使用する際に利便なバンド機能を付加することができる等、様々な機能を発揮させることができる。
【００１２】
本発明に係るパウダー状皮膚外用剤入りパフは、パフを使うのと同じ感覚でパフのパウダー状皮膚外用剤側の面を肌にたたくと、パウダー状皮膚外用剤とクッション材が分かれて袋物内に収納されているので、スムーズにパウダー状皮膚外用剤が顔や体等の肌に塗布され、クッション材にパウダー状皮膚外用剤が付着されることもほとんどなく、パウダー状皮膚外用剤の無駄がない。また、パウダー状皮膚外用剤とクッション材とが分かれているので、クッション材を、パウダー状皮膚外用剤との親和性、保持性等を考えることなく使用性を考えた自由な素材を選択できるので、優れた使用性のパフを得ることができる。
【発明の効果】
【００１３】
本発明に係るパウダー状皮膚外用剤入りパフは携帯に便利であり、どこでも気軽にパフの塗布面からパウダー状皮膚外用剤を肌にはたきつけることによりスムーズに吐出し、使用することができ、使い捨てであるので衛生的である。使用に際しては、クッション材へのパウダー状皮膚外用剤の付着量も少なくパウダー状皮膚外用剤の実使用量が多く、少量でも無駄なく充分機能を発揮し、効率的に使用できる。さらに、本発明に係るパウダー状皮膚外用剤入りパフは、使用に際して、スムーズにパウダー状皮膚外用剤が顔や体等の肌に塗布される。また、使用中、パウダー状皮膚外用剤が、塗布面に対向する面の手が触れる部分へ透過することが少なく手を汚すことなく使用することができる。また、パフ感覚を充分に有して優れた使用感覚で使用できる。
【００１４】
さらに、クッション材の接している側の第二のシート面を形成するシートを粉体不透過性シートにすることにより、前記手の汚れはさらに軽減することができる。また、両面にそれぞれ異なった機能を付加することが可能である。例えば、片面をパウダーパフ機能、対向する片面を油とり紙、汗拭き紙等の機能にすることも可能である。
【００１５】
さらに、パウダー状皮膚外用剤及びクッション材を仕切シートを介して分けることにより、パウダー状皮膚外用剤のクッション材方向への透過をより軽減することができる。この効果は、仕切シートが粉体不透過性シートである場合に顕著に発揮し、クッション材にパウダー状皮膚外用剤が付着されることもほとんどなく、パウダー状皮膚外用剤の無駄がない。
【００１６】
クッション材の接している側の第二のシート面を形成するシートとクッション材の間に、さらに第三のシートを設けることにより、パウダー状皮膚外用剤入りパフに様々な機能を付加することができる。例えば、第三のシートを粉体不透過性シートにすることにより前記第二のシート面を形成するシートをパウダー状皮膚外用剤が透過することをさらに軽減させることができる。また、第三のシートが透過の軽減の機能を持つことで、第二のシート面に例えば、油とり紙、汗拭き紙等の種々の機能を持たせることができるようになる。また、第二のシート面にパフを使用する際に利便なバンド機能を付加することも可能である。
【発明を実施するための最良の形態】
【００１７】
以下、本発明の実施の形態を実施例として示した図面に基いて説明する。なお、本発明は以下の実施形態に限定されるものではない。
第一に、実施の形態の一つとして、実施の形態１について説明する。
図１は、実施の形態１に係るパウダー状皮膚外用剤入りパフの形状を示した斜視図である。図２は、図１のパウダー状皮膚外用剤入りパフのＡ−Ａ線断面の模式図である。図３は、実施の形態１に係るパウダー状皮膚外用剤入りパフを説明する層構造を示す斜視図である。
【００１８】
実施の形態１に係るパウダー状皮膚外用剤入りパフ１は平面が略四辺形の形状を有し、粉体透過性のシートからなる第一のシート１０と、その面に対向する他の第二のシート２０の２つのシート面を有した袋物２と、該袋物２内の前記第一のシート１０面に接するように収納されたパウダー状皮膚外用剤３と、該パウダー状皮膚外用剤３の前記第二のシート２０面側に位置し、前記パウダー状皮膚外用剤３の前記第二のシート２０面側の面の全てを覆うように、前記パウダー状皮膚外用剤３と分けられて前記第二のシート２０の面に接するように収納されたクッション材４と、から構成されている。
【００１９】
前記袋物２の片面を構成する第一のシート１０は、パウダー状皮膚外用剤３が透過することができる粉体透過性のシートであり、顔や身体等をパウダー状皮膚外用剤入りパフ１で軽くたたくと、パウダー状皮膚外用剤入りパフ１の袋物２内に収納されているパウダー状皮膚外用剤３が通過して、外部へ出る程度の大きさの開孔を多数具備するものが使用される。粉体透過性のシートとしては、例えば不織布、織布、メッシュ、多孔シート等が用いられる。これらのうちでは不織布が好ましい。
【００２０】
粉体透過性のシートの開孔の大きさは、一般的に、平均直径が約０．５〜３５０μｍ程度のものであるのが好ましい。ここで、直径とは、開孔の形状が円の場合は、その円の直径を意味しているが、四辺形や不定形等の場合は、この面積と同等の面積を持つ仮想円の直径のことを意味している。開孔の密度は約２００〜２５００００個／ｃｍ2程度であるのが好ましい。
【００２１】
不織布は、構成繊維間隙が自動的に開孔となっている比較的粗目の不織布、又は緻密な不織布に穿孔を施して開孔を設けたものが挙げられる。
【００２２】
不織布を構成する繊維としては、従来公知のものが用いられ、例えば、天然繊維、合成繊維等が使用できる。繊維の具体的な例としては、例えば絹、木材パルプ、綿等のセルロース等の天然繊維、レーヨン、アセテート、アクリル、ポリエステル、ポリエチレン、ポリプロピレン、ポリウレタン、ポリアミド（ナイロン）、セルロースエステル等の合成繊維等が挙げられる。不織布はこれらの繊維を用いて、従来公知の方法で製造される。
【００２３】
織布及びメッシュは、従来公知の方法で製造されたものが用いられる。織布及びメッシュを構成する繊維としては、従来公知のものが用いられ、例えば、天然繊維、合成繊維等が使用できる。繊維の具体的な例としては、例えば絹、木材パルプ、綿等のセルロース等の天然繊維、レーヨン、アセテート、アクリル、ポリエステル、ポリエチレン、ポリプロピレン、ポリウレタン、ポリアミド（ナイロン）、セルロースエステル等の合成繊維等が挙げられる。
【００２４】
多孔シートは、従来公知の方法で製造されたシートに所定の手段で開孔を設けたものが用いられる。シート材料の具体的な例としては、例えば、レーヨン、アセテート、アクリル、ポリエステル、ポリエチレン、ポリプロピレン、ポリウレタン、ポリアミド（ナイロン）、セルロースエステル等の合成樹脂等が挙げられる。
【００２５】
袋物２の前記粉体透過性の第一のシート１０面の相対する面を構成する第二のシート２０は、特に限定されないが、粉体不透過性シート、粉体透過性シート、機能性シート等が用いられ、特にこの面をとおしてパウダー状皮膚外用剤３を塗布することがないことを考えれば粉体不透過性シートが好ましい。
【００２６】
粉体不透過性シートは、パウダー状皮膚外用剤３を透過しないシートであり、例えばポリマーフィルム、パウダー状皮膚外用剤３を透過しない紙・不織布等が用いられる。前記ポリマーフィルムの組成は特に限定されないが、本発明に使用する袋物２を製造しやすい点で、ポリエチレン、エチレン−酢酸ビニル共重合体、ポリプロピレン、エチレン−αオレフィン共重合体、アクリル樹脂等のオレフィン系ポリマー、ポリエステル等のポリマーが好ましい。また、前記紙・不織布は目を細かくするか、厚さを厚くすることによって得られる。
【００２７】
粉体透過性のシートは、前記の粉体透過性のシートと同様のものが用いられる。
【００２８】
機能性シートは、肌の皮脂をとる、汗を拭き取る等の機能を有したシートであり、例えば肌の皮脂をとる油とり紙、汗を拭き取る汗拭き紙等が挙げられる。本発明においては油とり紙が好ましい。本発明においては、機能性シートを用いることにより、パウダー状皮膚外用剤入りパフ１に、該パフが有する本来のパフ機能に加えて別種の機能を持たせることができ、いわゆる多機能パフとして重用される。
【００２９】
袋物２は、例えば第一のシート１０及び第二のシート２０の２枚のシートを重ね、両シートの周辺を固着して形成される。固着はヒートシール、例えば高周波シール、超音波シール、接着剤、圧着等により行われる。袋物２の形状は、本実施態様１では第一のシート１０及び第二のシート２０の面を四辺形とする形状であるが、本発明においては、特に限定されることなくいかなる形状であっても構わず、例えば四辺形の他に、円形、ハート型等を取り得る。
【００３０】
パウダー状皮膚外用剤３は、粉末状態の皮膚外用剤であり、従来から公知のパウダー状皮膚外用剤をそのまま用いることができる。皮膚外用剤としては、特に限定されないが、化粧料、医薬品、医薬部外品等が挙げられる。パウダー状皮膚外用剤３として、具体的には、例えば、顔や体に塗布する粉おしろい、フェイスパウダー、ボディーパウダー等の化粧パウダー、ベビーパウダー等が挙げられる
【００３１】
クッション材４としては、弾力性に富み使用感触がよく、安全な材料からなるものであればよく、例えば従来化粧料用パフとして使われているものが用いられる。具体的には、例えば、コットン、ウレタン、パルプ等を素材とするものが挙げられる。また、クッション材４の形状は、本実施態様１では袋物２内の第二のシート２０側に布団状に簡易成型された繊維状コットンが収納される形であるが、本発明においては、特に限定されることなくいかなる形状であっても構わず、例えば、ビーズ状、棒状、布団状クッションに凹凸を加工した形等を取り得る。
【００３２】
次に、他の実施態様について説明する。
【００３３】
図４は、実施の形態２に係るパウダー状皮膚外用剤入りパフを説明する層構造を示す斜視図である。
【００３４】
実施の形態２に係るパウダー状皮膚外用剤入りパフ１１は、実施の形態１に係るパウダー状皮膚外用剤入りパフ１において、前記パウダー状皮膚外用剤３とクッション材４との間にさらに仕切シート（１３０）を設置して、パウダー状皮膚外用剤３とクッション材４とが仕切シート（１３０）を介して分けられている構造をしている。すなわち、粉体透過性のシートからなる第一のシート１１０と、その面に対向する他の第二のシート１２０の２つのシート面を有した袋物１２と、該袋物１２内の前記第一のシート１１０面に接するように収納されたパウダー状皮膚外用剤１３と、該パウダー状皮膚外用剤１３の前記第二のシート１２０面側に位置し、前記パウダー状皮膚外用剤１３の前記第二のシート１２０面側の面の全てを覆うように、前記パウダー状皮膚外用剤１３と分けられて前記第二のシート１２０の面に接するように収納されたクッション材１４と、前記パウダー状皮膚外用剤１３とクッション材１４との間に設置された仕切シート１３０と、から構成されている。
【００３５】
仕切シート１３０は、好ましくは、粉体不透過性シート又は粉体透過性シートであり、さらに好ましくは粉体不透過性シートである。粉体不透過性シート又は粉体透過性シートとしてはいずれも実施の形態１に係るパウダー状皮膚外用剤入りパフ１と同様のものが用いられる。また、他の袋物１２、パウダー状皮膚外用剤１３及びクッション材１４については、実施の形態１に係るパウダー状皮膚外用剤入りパフ１と同様である。
【００３６】
図５は、実施の形態３に係るパウダー状皮膚外用剤入りパフを説明する層構造を示す斜視図である。
【００３７】
実施の形態３に係るパウダー状皮膚外用剤入りパフ２１は、実施の形態１に係るパウダー状皮膚外用剤入りパフ１において、前記第二のシート２０と、クッション材４との間にさらに第三のシート（２４０）を、設置して、袋物２のクッション材４側の面を２重のシートから構成されている構造をしている。すなわち、粉体透過性のシートからなる第一のシート２１０と、その面に対向する他の第二のシート２２０の２つのシート面を有した袋物２２と、該袋物２２内の前記第一のシート２１０面に接するように収納されたパウダー状皮膚外用剤２３と、該パウダー状皮膚外用剤２３の前記第二のシート２２０面側に位置し、前記パウダー状皮膚外用剤２３の前記第二のシート２２０面側の面の全てを覆うように、前記パウダー状皮膚外用剤２３と分けられて前記第二のシート２２０の面に接するように収納されたクッション材２４と、前記第二のシート２２０と、クッション材２４との間に設置された第三のシート２４０と、から構成されている。
【００３８】
第三のシート２４０は、実施の形態２に係るパウダー状皮膚外用剤入りパフ１１に用いた仕切シート１３０と同様のものが用いられる。また、他の袋物２２、パウダー状皮膚外用剤２３及びクッション材２４については、実施の形態１に係るパウダー状皮膚外用剤入りパフ１と同様である。
【００３９】
図６は、実施の形態４に係るパウダー状皮膚外用剤入りパフを説明する層構造を示す斜視図である。
【００４０】
実施の形態４に係るパウダー状皮膚外用剤入りパフ３１は、実施の形態２に係るパウダー状皮膚外用剤入りパフ１１において、前記第二のシート１２０と、クッション材１４との間にさらに第三のシート（３４０）を設置して、袋物１２のクッション材１４側の面を２重のシートから構成されている構造をしている。すなわち、粉体透過性のシートからなる第一のシート３１０と、その面に対向する他の第二のシート３２０の２つのシート面を有した袋物３２と、該袋物３２内の前記第一のシート３１０面に接するように収納されたパウダー状皮膚外用剤３３と、該パウダー状皮膚外用剤３３の前記第二のシート３２０面側に位置し、前記パウダー状皮膚外用剤３３の前記第二のシート３２０面側の面の全てを覆うように、前記パウダー状皮膚外用剤３３と分けられて前記第二のシート３２０の面に接するように収納されたクッション材３４と、前記パウダー状皮膚外用剤３３とクッション材３４との間に設置された仕切シート３３０と、前記第二のシート３２０と、クッション材３４との間に設置された第三のシート３４０と、から構成されている。
【００４１】
第三のシート３４０は、実施の形態３に係るパウダー状皮膚外用剤入りパフ２１に用いた第三のシート２４０と同様のものが用いられる。また、他の袋物３２、パウダー状皮膚外用剤３３、クッション材３４及び仕切シート３３０については、実施の形態２に係るパウダー状皮膚外用剤入りパフ１１と同様である。
【００４２】
本発明におけるパウダー状皮膚外用剤入りパフを製造するに当たって、その方法は特に限定されるものではなく、例えば、図７のごとく第一のシート１０の上にパウダー状皮膚外用剤３を等間隔に置き、クッション材４、第二のシート２０を第一のシート１０、パウダー状皮膚外用剤３の上にのせる。等間隔のパウダー状皮膚外用剤３の間隔に合わせ、周辺をシールし、等間隔でカットすることにより略座布団状の実施の形態１に係るパウダー状皮膚外用剤入りパフ１が製造される。
【００４３】
また、実施の形態２に係るパウダー状皮膚外用剤入りパフ１１については、例えば以下（図８参照）のようにして製造される。第二のシート１２０の上にクッション材１４、仕切りシート１３０を上にのせ両辺をシールする。その上にパウダー状皮膚外用剤１３を等間隔に置き、第一のシート１１０をのせる。等間隔のパウダー状皮膚外用１３の間隔に合わせ、周辺をシールし、等間隔でカットすることにより略座布団状の実施の形態２に係るパウダー状皮膚外用剤入りパフ１１が製造される。
【００４４】
なお、実施の形態３及び４に係るパウダー状皮膚外用剤入りパフ２１及び３１については、第三のシート２４０及び３４０をさらに用いて、それぞれ実施の形態１及び２に係るパウダー状皮膚外用剤入りパフ１及び１１の製造法に準じて製造される。
【００４５】
本発明においては、前記実施の形態３及び４において、袋物２２及び３２のクッション材２４及び３４側の第二のシート２２０及び３２０並びに第三のシート２４０及び３４０からなる２重のシートの一部を固着させずに形成させることによりパフを持ちやすくすることができる。例えば、第二のシート２２０及び３２０並びに第三のシート２４０及び３４０の面を四辺形とする形状の袋物２２及び３２の場合、例えば四辺のうち相対する２辺のみを固着することにより、バンド機能が得られ（実施の形態３に係るパウダー状皮膚外用剤入りパフの場合を図９に示した。実施の形態４の場合も同様である。）、また３辺のみを固着することにより手又は指を挿入できる取っ手としての機能が得られる（実施の形態３に係るパウダー状皮膚外用剤入りパフの場合を図１０に示した。実施の形態４の場合も同様である。）。
【００４６】
また、本発明に係るパウダー状皮膚外用剤入りパフにおいては、前記実施の形態１及び２において、クッション材４及び１４の接している側の第二のシート２０及び１２０の外側にパフの保持具を形成することができる。これにより、パウダー状皮膚外用剤入りパフ１及び１１を保持しやすくなる。保持具としては、バンド等が挙げられる（実施の形態１に係るパウダー状皮膚外用剤入りパフの場合を図１１に示した。実施の形態２の場合も同様である。）。
【００４７】
本発明に係るパウダー状皮膚外用剤入りパフにおける袋物の形態は、前記実施の形態１〜４で示した形態以外として、例えば、一枚のシートを用いて袋物を形成させたものでも構わない。前記一枚のシートで形成された袋物を用いたパウダー状皮膚外用剤入りパフを実施の形態５に係るパウダー状皮膚外用剤入りパフとして、その形状を示す斜視図を図１２に示した。
【００４８】
図１２においては、パウダー状皮膚外用剤入りパフ４１における袋物４２が一枚のシートで造られ、その一枚のシートで対向する第一及び第二の２つのシ−ト面を有するようになっている。すなわち、第一のシート４１０によって、第一のシート面及び第二のシート面を形成している。
【００４９】
図１３に、前記実施の形態５に係るパウダー状皮膚外用剤入りパフを説明する層構造を示す斜視図を示した。図１３に示したように、実施の形態５に係るパウダー状皮膚外用剤入りパフ４１は、実施の形態１に係るパウダー状皮膚外用剤入りパフ１における第一のシート１０と第二のシート２０を一枚のシートで形成した構造をしている。すなわち、粉体透過性のシートからなる第一のシート４１０によって形成された、第一のシート面と前記第一のシート面に対向する第二のシート面の２つのシート面を有した袋物４２と、該袋物４２内の前記第一のシート面に接するように収納されたパウダー状皮膚外用剤４３と、該パウダー状皮膚外用剤４３の前記第二のシート面側に位置し、前記パウダー状皮膚外用剤４３の前記第二のシート面側の面の全てを覆うように、前記パウダー状皮膚外用剤４３と分けられて前記第二のシート面に接するように収納されたクッション材４４と、から構成されている。なお、袋物４２、パウダー状皮膚外用剤４３及びクッション材４４については、実施の形態１に係るパウダー状皮膚外用剤入りパフ１と同様である。
【００５０】
前記実施の形態５に係るパウダー状皮膚外用剤入りパフ４１を製造するに当たっては、例えば、図１４のごとく一枚のシートからなる第一のシート４１０の上にパウダー状皮膚外用剤４３を等間隔に置き、クッション材４４をパウダー状皮膚外用剤４３の上にのせ、第一のシート４１０にて包み込む。等間隔のパウダー状皮膚外用剤４３の間隔に合わせ、等間隔でシール及びカットすることにより略座布団状の実施の形態５に係るパウダー状皮膚外用剤入りパフ４１が製造される。
【００５１】
また、袋物２の形状についても、辺の長さに対して短い厚さを有する略座布団状であり、第一のシート１０、１１０、２１０、３１０、４１０及び第二のシート２０、１２０、２２０、３２０の面の形状は、前記したように例えば四辺形の他に、円形、ハート型等を取り得る。
【００５２】
本発明に係るパウダー状皮膚外用剤入りパフは、大きさは任意であるが、平面四辺形の場合、一般的には、使い勝手の点から一辺が４０〜１００ｍｍ程度が好ましく用いられる。また、本発明に係るパウダー状皮膚外用剤入りパフの厚みは、３〜１０ｍｍ程度である。
【００５３】
パウダー状皮膚外用剤入りパフの使用に当たって、その使用方法は任意であるが、例えばパウダー状皮膚外用剤入りパフを手に持ち、パウダー状皮膚外用剤の接する粉末透過シート側の面を顔や身体等を軽くたたいて使用する。
【図面の簡単な説明】
【００５４】
【図１】実施の形態１に係るパウダー状皮膚外用剤入りパフの形状を示す斜視図である。
【図２】図１のパウダー状皮膚外用剤入りパフのＡ−Ａ線断面の模式図である。
【図３】実施の形態１に係るパウダー状皮膚外用剤入りパフを説明する層構造を示す斜視図である。
【図４】実施の形態２に係るパウダー状皮膚外用剤入りパフを説明する層構造を示す斜視図である。
【図５】実施の形態３に係るパウダー状皮膚外用剤入りパフを説明する層構造を示す斜視図である。
【図６】実施の形態４に係るパウダー状皮膚外用剤入りパフを説明する層構造を示す斜視図である。
【図７】実施の形態１に係るパウダー状皮膚外用剤入りパフの製造工程を説明する斜視図である。
【図８】実施の形態２に係るパウダー状皮膚外用剤入りパフの製造工程を説明する斜視図である。
【図９】実施の形態３に係るパウダー状皮膚外用剤入りパフの一実施形態の形状を示す斜視図である。
【図１０】実施の形態３に係るパウダー状皮膚外用剤入りパフの他の実施形態の形状を示す斜視図である。
【図１１】実施の形態１に係るパウダー状皮膚外用剤入りパフの一実施形態の形状を示す斜視図である。
【図１２】実施の形態５に係るパウダー状皮膚外用剤入りパフの形状を示す斜視図である。
【図１３】実施の形態５に係るパウダー状皮膚外用剤入りパフを説明する層構造を示す斜視図である。
【図１４】実施の形態５に係るパウダー状皮膚外用剤入りパフの製造工程を説明する斜視図である。
【符号の説明】
【００５５】
１、１１、２１、３１、４１    パウダー状皮膚外用剤入りパフ
２、１２、２２、３２、４２    袋物
１０、１１０、２１０、３１０、４１０    第一のシート
２０、１２０、２２０、３２０    第二のシート
３、１３、２３、３３、４３    パウダー状皮膚外用剤
４、１４、２４、３４、４４    クッション材
２３、１３０、３３０    仕切シート
２４、２４０、３４０    第三のシート
【図１】
2006263432.tif 000003
【図２】
2006263432.tif 000004
【図３】
2006263432.tif 000005
【図４】
2006263432.tif 000006
【図５】
2006263432.tif 000007
【図６】
2006263432.tif 000008
【図７】
2006263432.tif 000009
【図８】
2006263432.tif 000010
【図９】
2006263432.tif 000011
【図１０】
2006263432.tif 000012
【図１１】
2006263432.tif 000013
【図１２】
2006263432.tif 000014
【図１３】
2006263432.tif 000015
【図１４】
2006263432.tif 000016